(57)【要約】      （修正有）【課題】粘着テープを使用後粘着テープが巻き戻り、粘着テープ端がわかりにくい。【解決手段】粘着テープを装着する紙管ホルダーを有するカッターボディー４と、カッター刃とローラー６を装着するローラー支持アームと、カバー８の構成にして、支持アーム右側部の下部の内面より支持アーム左側部の近く迄伸びるテープガイド板を形成して、支持アーム左右側部の内側とにフックを設けて、カッターボディーに保護壁を形成して、保護壁の一部はフック留めにして、フックとフック留は係止されて、ローラー支持アームは、支持アーム装着管軸２１とアーム軸を要として扇転自在に成っていて、付着管軸管の右端はスプリングを装着する為のスプリング装着軸に成っていて、付着管の内側に円周状に突起を形成して、スプリングと突起によりラチェット機能を成している。【選択図】図６
2016084214.tif 000002
【特許請求の範囲】
【請求項１】
テープカッターにおいて、粘着テープを収納して使用するテープカッターは、粘着テープを装着する紙管ホルダーを有するカッターボディーと、カッター刃とローラーを装着するローラー支持アームと、粘着テープの上を覆うカバーの構成にして、支持アーム右側部の下部の内面より支持アーム左側部の近く迄伸びるテープガイド板を形成して、支持アーム右側部の下部の内側と支持アーム左側部の下部の内側にフックを設けて、支持アーム右側部の上部の端にアーム装着管軸軸受けと、支持アーム左側部の上部の内側の端にアーム軸を設けて、カバーの右端にカバー装着管軸軸受けを設け、カバーの左端にカバー軸を形成する、と共に、カッターボディーより右方向に伸びるカバー装着管を形成して、カバー装着管の右端にカバー装着管軸を設け、カバー装着管の左端はカバー軸受けに成っていて、カバー装着管に接して支持アーム装着管を形成して、支持アーム装着管の右端に支持アーム装着管軸を設けて、支持アーム装着管の左端はアーム軸受けになっていて、カッターボディーより右方向に伸びる粘着テープ粘着面付着管を装着する付着管軸管を形成して、付着管軸管の右端はスプリングを装着する為のスプリング装着軸に成っていて、付着管の内側に円周状に突起を形成して、スプリングと突起によりラチェット機能を成していて、付着管軸管に並行に補助付着管を装着する為の補助付着管軸を設けて、カッターボディーにカッターボディーより右方向に伸びて、付着管と補助付着管の下を覆う保護壁を形成して、保護壁の一部はフック留めに成っていることを特徴とするテープカッター。
【発明の詳細な説明】
【技術分野】
【０００１】
粘着テープを格納する粘着テープケースと、粘着テープケースに格納された粘着テープから巻き外された粘着テープを所定の被貼着面に貼着し、所望の位置で切断することができる装置に関する。
【背景技術】
【０００２】
従来ハンドテープカッターは、粘着テープを切断した後粘着テープ端がぶらりと下がる、又は、粘着面付着管又は左右の粘着面付着突起に触れ粘着テープの粘着面が付着していた。
【０００３】
しかしながら従来の切断した粘着テープ端の粘着面が、粘着面付着突起に触れずに粘着テープ端が巻き戻り粘着テープに張り付いて、粘着テープ端を再度探して剥がすのは手間がかかる欠点があった。
【先行技術文献】
【特許文献】
【０００４】
【特許文献１】特開平１１−３０１９１５号公報
【特許文献２】特開２０００−２２９７６６号公報
【特許文献３】-特開２０１４−８３７７７号公報
【特許文献４】実登３１２４１８３号公報
【発明の概要】
【発明が解決しようとする課題】
【０００５】
特許文献１は、巻き粘着テープ挿入し粘着テープ端を引き出して、引き出し口に持って行く際に、粘着テープの付着面上の間隔が狭く又付着面が固定されていて手間がかかる。
【０００６】
特許文献２は、テープ排出口にカッターの刃先が下りてくる、と共にテープ押し付け部により粘着テープの粘着面をテープ付着部に付着させているが、テープ付着部上が狭く粘着テープ繰り出し中に粘着面がテープ付着部に接触する、又粘着テープとテープ付着部との角度がすくなく粘着テープ使用時にテープ付着部より粘着テープ面は、剥がしにくい。
【０００７】
特許文献３は、持ち運びに不便である。
【０００８】
本発明は、以上のような従来の欠点に鑑み、粘着テープから巻き外された粘着テープ端の粘着面を仮止めする際に粘着テープを挟むことができると共に、粘着テープを引き出し方向のみ引き出す粘着面付着装置を一方方向回転とする、と共に移動できるテープカッターを提供することで解消した。
【課題を解決するための手段】
【０００９】
請求項１は、テープカッターにおいて、粘着テープを収納して使用するテープカッターは、粘着テープを装着する紙管ホルダーを有するカッターボディーと、カッター刃とローラーを装着するローラー支持アームと、粘着テープの上を覆うカバーの構成にして、支持アーム右側部の下部の内面より支持アーム左側部の近く迄伸びるテープガイド板を形成して、支持アーム右側部の下部の内側と支持アーム左側部の下部の内側にフックを設けて、支持アーム右側部の上部の端にアーム装着管軸軸受けと、支持アーム左側部の上部の内側の端にアーム軸を設けて、カバーの右端にカバー装着管軸軸受けを設け、カバーの左端にカバー軸を形成する、と共に、カッターボディーより右方向に伸びるカバー装着管を形成して、カバー装着管の右端にカバー装着管軸を設け、カバー装着管の左端はカバー軸受けに成っていて、カバー装着管に接して支持アーム装着管を形成して、支持アーム装着管の右端に支持アーム装着管軸を設けて、支持アーム装着管の左端はアーム軸受けになっていて、カッターボディーより右方向に伸びる粘着テープ粘着面付着管を装着する付着管軸管を形成して、付着管軸管の右端はスプリングを装着する為のスプリング装着軸に成っていて、付着管の内側に円周状に突起を形成して、スプリングと突起によりラチェット機能を成していて、付着管軸管に並行に補助付着管を装着する為の補助付着管軸を設けて、カッターボディーにカッターボディーより右方向に伸びて、付着管と補助付着管の下を覆う保護壁を形成して、保護壁の一部はフック留めに成っているテープカッター。
【００１０】
粘着テープ（１）を収納して使用するテープカッターは粘着テープを装着する紙管ホルダーを有するカッターボディーと、カッター刃とローラーを装着するローラー支持アームと、粘着テープの上を覆うカバーの構成に成っている。
【００１１】
ローラー支持アームの支持アーム右側部の下部の内面より支持アーム左側部の方向に支持アーム左側部の下部の近く迄伸びるテープガイド板を形成して、支持アーム右側部の下部の内側と支持アーム左側部の下部の内側にフックを設けて、支持アーム右側部の上部の端にアーム装着管軸軸受けと、支持アーム左側部の上部の内側の端にアーム軸を設けて、カバーの右端にカバー装着管軸軸受けを設け、カバーの左端にカバー軸を形成する。
【００１２】
カッターボディーにカッターボディーより右方向に伸びるカバー装着管を形成して、カバー装着管の右端をカバー装着管軸にし、カバー装着管の左端はカバー軸受けに成っていて、カバーの左端に設けたカバー軸をカバー軸受けに挿入し、カバーの右端に設けたカバー装着管軸軸受けにカバー装着管軸を挿入する。
【００１３】
カバー装着管に接して平行に支持アーム装着管を形成して、支持アーム装着管の右端に支持アーム装着管軸を設けて、支持アーム装着管の左端はアーム軸受けになっていて、支持アーム右側部の上部の端に設けたアーム装着管軸軸受けに支持アーム装着管軸を挿入し、支持アーム左側部の上部内側の端に設けたアーム軸をアーム軸受けに挿入する。
【００１４】
カッターボディーにカッターボディーより右方向に伸びる粘着テープ粘着面付着管を装着する付着管軸管を形成して、付着管軸管の右端はスプリングを装着する為のスプリング装着軸に成っていて、付着管の内側に円周状に突起を形成して、スプリングと突起によりラチェット機能を成していて、付着管軸管に並行に補助付着管を装着する為の補助付着管軸を設ける。
【００１５】
カッターボディーにカッターボディーより右方向に伸びて、付着管と補助付着管の下を覆う保護壁を形成して、保護壁の左端に、支持アーム右側部の下部と支持アーム左側部の下部に設けたフックを係止する為のフック留めを形成して、フック留めの形状をカッターボディーの下部迄続ける。
【発明の効果】
【００１６】
以下図面に基づき説明する。
図１−図１０符合１−符号３１は、カッターボディー(４)にカッターボディー(４)より右方向に伸びるカバー装着管(１７)を形成して、カバー装着管(１７)の右端にカバー装着管軸(１８)を設けて、カバー装着管(１７)の左端はカバー軸受け(１９)に成っていて、カバー(８)の左端に設けたカバー軸(１６)をカバー軸受け(１９)に挿入し、カバー(８)の右端に設けたカバー装着管軸軸受け(１５)にカバー装着管軸(１８)を挿入することにおいて、カバー(８)はカバー装着管軸(１８)とカバー軸(１６)を要として扇転自在に成っている。
【００１７】
カバー装着管(１７)に接して平行に支持アーム装着管(２０)を形成して、支持アーム装着管(２０)の右端に支持アーム装着管軸(２１)を設けて、支持アーム装着管(２０)の左端はアーム軸受け(２２)になっていて、支持アーム左側部(１０)の上部内側の端に設けたアーム軸(１４)をアーム軸受け(２２)に挿入し、支持アーム右側部(９)の上部の端に設けたアーム装着管軸軸受け(１３)に支持アーム装着管軸(２１)を挿入することにおいて、ローラー支持アーム(７)は、アーム軸(１４)と支持アーム装着管軸(２１)を要として扇転自在に成っている。
【００１８】
カッターボディー(４)にカッターボディー(４)より右方向に伸びる粘着テープ（１）粘着面付着管(２３)を装着する付着管軸管(２４)を形成して、付着管軸管(２４)の右端はスプリング(２５)を装着する為のスプリング装着軸(２６)に成っていて、付着管(２３)の内側に円周状に突起(２７)を形成することにおいて、スプリング(２５)と突起(２７)によりラチェット機能を構成できて、粘着テープ（１）を一方方向のみに移動できる。
【００１９】
カッターボディー(４)にカッターボディー(４)より右方向に伸びて、付着管(２３)と補助付着管(２８)の下を覆う保護壁(３０)を形成して、保護壁(３０)にフック留め(３１)を形成することにおいて、支持アーム右側部(９)の下部と支持アーム左側部(１０)の下部に設けたフック(１２)をフック留め(３１)に係止出来る。
【図面の簡単な説明】
【００２０】
【図１】テープカッター（２）の右側面図。
【図２】テープカッター（２）の左側面図。
【図３】テープカッター（２）の平面図、切断線Ａ−Ａ線を示す、左を正面としている。
【図４】テープカッター（２）の底面図  左を正面としている。
【図５】テープカッター（２）の正面図。
【図６】テープカッター（２）の右側面図、ローラー支持アーム(７)を上げている。
【図７】図３のＡ−Ａ線切断端面図。
【図８】テープカッター（２）のイメージ底面図、左を正面としている。
【図９】カッターボディー(４)の右側面図。
【図１０】ローラー支持アーム(７)の底面図、左を正面としている。
【発明を実施するための形態】
【００２１】
以下図面に基づき説明する。
図１−図１０符合１−符号３１は、粘着テープ（１）を収納して使用するテープカッター（２）は粘着テープ(１)を装着する紙管ホルダー(３)を有するカッターボディー(４)と、カッター刃(５)とローラー(６)を装着するローラー支持アーム(７)と、粘着テープ（１）の上を覆うカバー(８)の構成に成っている。
【００２２】
ローラー支持アーム(７)の支持アーム右側部(９)の下部の内面より支持アーム左側部(１０)の方向に支持アーム左側部(１０)の下部の近く迄伸びるテープガイド板(１１)を形成して、支持アーム右側部(９)の下部の内側と支持アーム左側部(１０)の下部の内側にフック(１２)を設けて、支持アーム右側部(９)の上部の端にアーム装着管軸軸受け(１３)と、支持アーム左側部(１０)の上部の内側の端にアーム軸(１４)を設けて、カバー(８)の右端にカバー装着管軸軸受け(１５)を設け、カバー(８)の左端にカバー軸(１６)を形成する。
【００２３】
カッターボディー(４)にカッターボディー(４)より右方向に伸びるカバー装着管(１７)を形成して、カバー装着管(１７)の右端をカバー装着管軸(１８)にし、カバー装着管(１７)の左端はカバー軸受け(１９)に成っていて、カバー(８)の左端に設けたカバー軸(１６)をカバー軸受け(１９)に挿入し、カバー(８)の右端に設けたカバー装着管軸軸受け(１５)にカバー装着管軸(１８)を挿入する。
【００２４】
カバー装着管(１７)に接して平行に支持アーム装着管(２０)を形成して、支持アーム装着管(２０)の右端に支持アーム装着管軸(２１)を設けて、支持アーム装着管(２０)の左端はアーム軸受け(２２)になっていて、支持アーム右側部(９)の上部の端に設けたアーム装着管軸軸受け(１３)に支持アーム装着管軸(２１)を挿入し、支持アーム左側部(１０)の上部内側の端に設けたアーム軸(１４)をアーム軸受け(２２)に挿入する。
【００２５】
カッターボディー(４)にカッターボディー(４)より右方向に伸びる粘着テープ（１）粘着面付着管(２３)を装着する付着管軸管(２４)を形成して、付着管軸管(２４)の右端はスプリング(２５)を装着する為のスプリング装着軸(２６)に成っていて、付着管(２３)の内側に円周状に突起(２７)を形成して、スプリング(２５)と突起(２７)によりラチェット機能を成していて、付着管軸管(２４)に並行に補助付着管(２８)を装着する為の補助付着管軸(２９)を設ける。
【００２６】
カッターボディー(４)にカッターボディー(４)より右方向に伸びて、付着管(２３)と補助付着管(２８)の下を覆う保護壁(３０)を形成して、保護壁(３０)に、支持アーム右側部(９)の下部と支持アーム左側部(１０)の下部に設けたフック(１２)を係止する為のフック留め(３１)を形成する。
【００２７】
付着管(２３)と補助付着管(２８)の表面に円周状に隆起部を形成して、付着管(２３)と補助付着管(２８)は鼓形状を成していて、テープガイド板(１１)は付着管(２３)と補助付着管(２８)の鼓形状を反映している。
【００２８】
図１−図１０符合１−符合３１の使用方法について、テープカッター（２）への粘着テープ（１）の収納は、テープカッター（２）の底面を上にして、両手の親指でフック(１２)を左右に開きフック(１２)とフック留め(３１)の係止を解いて、ローラー支持アーム(７)を上に上げ、テープガイド板(１１)と付着管(２３)とを引き離しテープガイド板(１１)と付着管(２３)との間に空寮を設けて、粘着テープ（１）を紙管ホルダー(３)に装着し、粘着テープ（１）の端を空寮に通してからローラー支持アーム(７)を下げ、粘着テープ（１）をテープガイド板(１１)と付着管(２３)で挟み、フック(１２)とフック留め(３１)を係止する。
【産業上の利用可能性】
【００２９】
従来のテープカッターにわずかなコストで粘着テープ端の巻き戻りが防止出来る機能に成っているため産業上の利用可能性が高いと思われます。
【符号の説明】
【００３０】
１  粘着テープ
２  テープカッター
３  紙管ホルダー
４  カッターボディー
５  カッター刃
６  ローラー
７  ローラー支持アーム
８  カバー
９  支持アーム右側部
１０  支持アーム左側部
１１  テープガイド板
１２  フック
１３  アーム装着管軸軸受け
１４  アーム軸
１５  カバー装着管軸軸受け
１６  カバー軸
１７  カバー装着管
１８  カバー装着管軸
１９  カバー軸受け
２０  支持アーム装着管
２１  支持アーム装着管軸
２２  アーム軸受け
２３  付着管
２４  付着管軸管
２５  スプリング
２６  スプリング装着軸
２７  突起
２８  補助付着管
２９  補助付着管軸
３０  保護壁
３１  フック留め
【図１】
2016084214.tif 000003
【図２】
2016084214.tif 000004
【図３】
2016084214.tif 000005
【図４】
2016084214.tif 000006
【図５】
2016084214.tif 000007
【図６】
2016084214.tif 000008
【図７】
2016084214.tif 000009
【図８】
2016084214.tif 000010
【図９】
2016084214.tif 000011
【図１０】
2016084214.tif 000012